【事件の表示】
　特願２０１７−５１３７７５「電子機器キャビネット」拒絶査定不服審判事件〔平成２８年　３月１７日国際公開、ＷＯ２０１６／０３９９５９、平成２９年　９月２１日国内公表、特表２０１７−５２８００３、請求項の数（３４）〕について、次のとおり審決する。
【結　論】
　原査定を取り消す。
　本願の発明は、特許すべきものとする。
【理　由】
第１　手続の経緯
　本願は、２０１５年８月２０日（パリ条約に基づく優先権主張２０１４年９月１１日、米国）を国際出願日とする出願であって、平成３０年８月２０日に手続補正がなされ、令和元年１０月２３日付けで拒絶理由が通知され、令和２年１月２８日に手続補正がなされたが、令和２年７月１７日付けで拒絶査定がなされ、これに対して、令和２年１１月２５日に拒絶査定不服審判が請求され、同時に手続補正（以下、「本件補正」という。）がなされたものである。
第２　原査定の概要
　原査定（令和２年７月１７日付け拒絶査定）の概要は次のとおりである。
「●理由１
　（明確性）この出願は、特許請求の範囲の記載が下記の点で、特許法第３６条第６項第２号に規定する要件を満たしていない。
　　　　　　　　　　　　　　　記
・請求項　１３，３１
　発明の詳細な説明には、図６５、６６において「１２５０」が付された部材が「略Ｃ字形断面」を有する旨は示されていない。
　また、補正後請求項１３、３１で規定される「上方から見たときに前後方向で開」く構成とは、開いた部分を通じて「構造エアダム」の内部と外部を結ぶ方向が「前後方向」である構成を指すのか、或いは、開いた部分の幅方向が「前後方向」である構成を指すのか、が不明である（［００３７］［００４３］の記載から見て、図６８の下側が「前方」であることが明らかであるところ、図６８において「１２５０」が付された部材は、図中右端が開放されていると認められる。）。
　よって、請求項１３、３１に係る発明の構成は明確でない。
●理由３
　（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
・請求項　１−７，１４−１７，１９−２５，３２−３５
・引用文献等　引用例１，２
・請求項　８−１２，２６−３０
・引用文献等　引用例１−４
・請求項　１３，３１
・引用文献等　引用例１，２
・請求項　１８，３６
・引用文献等　引用例１，２，４
＜引用文献等一覧＞
１．米国特許出願公開第２０１３／０３４２０９１号明細書（パテントファミリー「特表２０１５−５２１８０５号」）
２．米国特許出願公開第２０１２／００６３０９９号明細書
３．米国特許出願公開第２０１２／０２７３４３８号明細書
４．米国特許出願公開第２０１０／０２１９７２６号明細書」
第３　審判請求時の補正について
１　本件補正前の請求項１に「前記構造エアダムが、前記垂直柱を介することなく前記補強前後梁に接合され」とあったところを「前記構造エアダムが、前記垂直柱を介することなく前記補強前後梁に接合され、前記構造エアダムがビームブラケットを通じて前記補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置され」とする補正、及び本件補正前の請求項１９に「前記構造エアダムが、前記垂直柱を介することなく前記補強前後梁に接合され」とあったところを「前記構造エアダムがビームブラケットを通じて補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置され」と補正して本件補正後の請求項１８とする補正は、いずれも特許請求の範囲の減縮を目的とするものであって、出願当初の図６６に記載されているから、新規事項を追加するものではない。
　そして、「第４　本願発明」から「第６　対比・判断」までに示すように、本件補正後の請求項１、１８に係る発明は、独立特許要件を満たすものである。
２　本件補正前の請求項５及び２３を削除するとともに、請求項６以降の項番及び引用関係を整理する補正は、請求項の削除及び明りょうでない記載の釈明を目的としたものである。
３　本件補正前の請求項１３、３１に「前記構造エアダムが、上方から見たときに
前後方向で開く
４　上記１ないし３のとおり、審判請求時の補正は、特許法第１７条の２第３項から第６項までの要件に違反しているものとはいえない。
第４　本願発明
　本願の請求項１ないし３４に係る発明（以下、それぞれ「本願発明１」ないし「本願発明３４」という。）は、令和２年１１月２５日の手続補正で補正された特許請求の範囲の請求項１ないし３４に記載された事項により特定される発明であり、以下のとおりの発明である。
「【請求項１】
　一対の上部左右梁に接合される前後梁の第１の対、一対の下部左右梁に接合される前後梁の第２の対、ならびに、前記一対の上部左右梁及び前記一対の下部左右梁に接合される複数の垂直柱を含むキャビネットフレームと、
　前記前後梁の第１の対の１つに、かつ前記前後梁の第２の対の１つに、着脱自在に接合される前方機器レールと、
　前記前方機器レールに、かつ前記複数の垂直柱の１つに着脱自在に接合される構造エアダムと、
　を含み、
　前記キャビネットフレームが、一対の前記複数の垂直柱の間に位置し、一対の前記複数の垂直柱に接合される補強前後梁をさらに含み、
　前記構造エアダムが、前記垂直柱を介することなく前記補強前後梁に接合され、
　前記構造エアダムがビームブラケットを通じて前記補強前後梁に接合され、
　前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている、電子機器キャビネット。」
【請求項２】
　前記前後梁の第１の対が前記一対の上部左右梁に溶接され、前記前後梁の第２の対が前記一対の下部左右梁に溶接され、かつ前記複数の垂直柱が前記一対の上部左右梁及び前記一対の下部左右梁に溶接される、請求項１に記載の電子機器キャビネット。
【請求項３】
　前記前後梁の第１の対及び前記前後梁の第２の対が、対応する前記複数の垂直柱に対して差し込まれる、請求項１に記載の電子機器キャビネット。
【請求項４】
　前記補強前後梁が前記一対の前記複数の垂直柱に溶接される、請求項１に記載の電子機器キャビネット。
【請求項５】
　前記前後梁の第１の対の１つに、前記前後梁の第２の対の１つに、かつ前記補強前後梁に着脱自在に接合される後方機器レールをさらに含む、請求項１に記載の電子機器キャビネット。
【請求項６】
　前記後方機器レールが後方ビームブラケットを通じて前記補強前後梁に接合される、請求項５に記載の電子機器キャビネット。
【請求項７】
　前記複数の垂直柱の２つに接合される上側パネル梁と、
　前記複数の垂直柱の前記２つに接合される下側パネル梁と、
　をさらに含む、請求項１に記載の電子機器キャビネット。
【請求項８】
　前記上側パネル梁が前記複数の垂直柱の前記２つに溶接され、前記下側パネル梁が前記複数の垂直柱の前記２つに溶接される、請求項７に記載の電子機器キャビネット。
【請求項９】
　前記下側パネル梁及び前記上側パネル梁に係合するように構成されるサイドパネルをさらに含む、請求項７に記載の電子機器キャビネット。
【請求項１０】
　前記サイドパネルの下部から延在し、前記サイドパネルの前記下部が前記下側パネル梁の上面に載せられるために、前記下側パネル梁内のスロットに係合するように構成されるタブを有する管状部材を前記サイドパネルが含む、請求項９に記載の電子機器キャビネット。
【請求項１１】
　前記上側パネル梁のフランジに係合し、前記サイドパネルの取り外しを防止するように構成される前記サイドパネルの上部に隣接するロック機構を、前記サイドパネルがさらに含む、請求項１０に記載の電子機器キャビネット。
【請求項１２】
　前記構造エアダムが、上方から見たときに略Ｃ字形断面を有し、その中に形成される少なくとも１つの通過可能な切欠部を含む、請求項１に記載の電子機器キャビネット。
【請求項１３】
　前記構造エアダムがポストブラケットを通じて前記前方機器レールに接合される、請求項１に記載の電子機器キャビネット。
【請求項１４】
　前記キャビネットフレームの上部に着脱自在に接合される上部キャップをさらに含む、請求項１に記載の電子機器キャビネット。
【請求項１５】
　前記キャビネットフレームの前記上部に着脱自在に接合される前部及び、前記キャビネットフレームの前記上部に着脱自在に接合される離れた後部を前記上部キャップが含む、請求項１４に記載の電子機器キャビネット。
【請求項１６】
　データ及び／または電力ケーブルの通過を可能にするように構成される、少なくとも１つの開口部を前記上部キャップが含む、請求項１４に記載の電子機器キャビネット。
【請求項１７】
　前記上部キャップに隣接する前記キャビネットフレームの前記上部に着脱自在に接合される垂直排気ダクトをさらに含む、請求項１４に記載の電子機器キャビネット。
【請求項１８】
　上部フレームを形成するための一対の上部左右梁に接合される前後梁の第１の対、下部フレームを形成するために一対の下部左右梁に接合される前後梁の第２の対、ならびに、前記上部フレーム及び前記下部フレームに接合される複数の垂直柱を含むキャビネットフレームと、
　前記前後梁の第１の対の１つに、かつ前記前後梁の第２の対の１つに、着脱自在に接合される前方機器レールと、
　前記前方機器レールに、かつ前記複数の垂直柱の１つに接合される構造エアダムと、を含み、　
　前記キャビネットフレームが、一対の前記複数の垂直柱の間に位置し、前記一対の垂直柱に接合される複数の補強前後梁をさらに含み、
　前記構造エアダムが、前記垂直柱を介することなく前記複数の補強前後梁に接合され、前記構造エアダムがビームブラケットを通じて補強前後梁に接合され、
　前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている、電子機器キャビネット。
【請求項１９】
　前記前後梁の第１の対が前記一対の上部左右梁に溶接され、前記前後梁の第２の対が前記一対の下部左右梁に溶接され、かつ前記垂直柱が前記上部フレーム及び前記下部フレームに溶接される、請求項１８に記載の電子機器キャビネット。
【請求項２０】
　前記前後梁の第１の対及び前記前後梁の第２の対が、対応する前記垂直柱に対して差し込まれる、請求項１８に記載の電子機器キャビネット。
【請求項２１】
　前記補強前後梁が前記一対の垂直柱に溶接される、請求項１８に記載の電子機器キャビネット。
【請求項２２】
　前記前後梁の第１の対の１つに、前記前後梁の第２の対の１つに、かつ前記補強前後梁に着脱自在に接合される後方機器レールをさらに含む、請求項１８に記載の電子機器キャビネット。
【請求項２３】
　前記後方機器レールが後方ビームブラケットを通じて前記補強前後梁に接合される、請求項２２に記載の電子機器キャビネット。
【請求項２４】
　前記複数の垂直柱の２つに接合される上側パネル梁と、
　前記複数の垂直柱の前記２つに接合される下側パネル梁と、
をさらに含む、請求項１８に記載の電子機器キャビネット。
【請求項２５】
　前記上側パネル梁が前記複数の垂直柱の前記２つに溶接され、前記下側パネル梁が前記複数の垂直柱の前記２つに溶接される、請求項２４に記載の電子機器キャビネット。
【請求項２６】
　前記下側パネル梁及び前記上側パネル梁に係合するように構成されるサイドパネルをさらに含む、請求項２４に記載の電子機器キャビネット。
【請求項２７】
　前記サイドパネルの下部から延在し、前記サイドパネルの前記下部が前記下側パネル梁の上面に載せられるために、前記下側パネル梁内のスロットに係合するように構成されるタブを有する管状部材を前記サイドパネルが含む、請求項２６に記載の電子機器キャビネット。
【請求項２８】
　前記上側パネル梁の１つのフランジに係合し、前記サイドパネルの取り外しを防止するように構成される前記サイドパネルの上部に隣接するロック機構を、前記サイドパネルがさらに含む、請求項２７に記載の電子機器キャビネット。
【請求項２９】
　前記構造エアダムが、上方から見たときに略Ｃ字形断面を有し、その中に形成される少なくとも１つの通過可能な切欠部を含む、請求項１８に記載の電子機器キャビネット。
【請求項３０】
　前記構造エアダムがポストブラケットを通じて前記前方機器レールに接合される、請求項１８に記載の電子機器キャビネット。
【請求項３１】
　前記上部フレームに着脱自在に接合される上部キャップをさらに含む、請求項１８に記載の電子機器キャビネット。
【請求項３２】
　前記上部フレームに着脱自在に接合される前部及び、前記上部フレームに着脱自在に接合される離れた後部を前記上部キャップが含む、請求項３１に記載の電子機器キャビネット。
【請求項３３】
　データ及び／または電力ケーブルの通過を可能にするように構成される、少なくとも１　つの開口部を前記上部キャップが含む、請求項３１に記載の電子機器キャビネット。
【請求項３４】
　前記上部キャップに隣接する前記上部フレームに着脱自在に接合される垂直排気ダクトをさらに含む、請求項３１に記載の電子機器キャビネット。」
第５　引用発明、引用文献等
１　引用文献１について
（１）引用文献１に記載された事項
　原査定の拒絶の理由で引用された引用文献１には、図面とともに、次の事項が記載されている（下線は、当審で付与した。また、当審訳は、引用文献１のパテントファミリーである特表２０１５−５２１８０５号に依ったものであり、対応する段落番号も付記した。）。
「[0002] The present invention relates to a 
server cabinet
サーバキャビネット
「[0069] As shown in  FIG. 5 , 
front-to-back beams  210  and top side-to-side beams  220 A are connected to form top frame  250 A.
前後梁２１０と頂部左右梁２２０Ａが連結されて、頂部フレーム２５０Ａを形成する。同様に、前後梁２１０と底部左右梁２２０Ｂが連結されて、底部フレーム２５０Ｂを形成する。
「[0070] As shown in  FIGS. 6 and 7 , 
vertical posts  230
side-to-side beams  220 A,  220 B, to form cabinet frame  200 .
垂直支柱２３０は、
左右梁２２０Ａ、２２０Ｂに連結されて、キャビネットフレーム２００を形成する
「[0076] As shown in  FIGS. 17-19  and  28 - 31 , equipment rails  300 A,  300 B are connected to cabinet frame  200 , and more particularly, front-to-back beams  210  of top and bottom frames  250 A,  250 B. Preferably, equipment rails  300 A,  300 B are adjustable. That is, 
equipment rails  300 A,  300 B are removably connected to
front-to-back beams  210  of top and bottom frames  250 A,  250 B
機器レール３００Ａ、３００Ｂは、
頂部および底部フレーム２５０Ａ、２５０Ｂの前後梁２１０に、取外し可能に連結される。
        
        
   
 
  
       
        
 
「[0084] As shown in  FIGS. 28-31 , equipment rails  300 A include mounting openings  340  for mounting electronic equipment, such as servers, patch panels, and switches, in server cabinet  100 , and are configured to receive blanking panels, such as horizontal blanking panels (not shown), which are typically mounted to equipment rails  300 A using mounting openings  340 , and 
vertical blanking panels  370
for sealing open areas of server cabinet  100  to separate cooled intake air and heated exhaust air.
[0085] For example, as shown in  FIGS. 28-31 , equipment rails  300 A include vertical blanking panels  370 . As shown in  FIG. 30 , 
vertical blanking panels  370  are removably connected to equipment rails  300 A
冷却された呼気および加熱された排気を分離するためにサーバキャビネット１００の開口領域を封止するために、
垂直パネルブランク３７０
【００２４】　例えば、図２８〜３１に示されたように、機器レール３００Ａは、垂直ブランクパネル３７０を含む。図３０に示されたように、
垂直ブランクパネル３７０は、
機器レール３００Ａに取外し可能に連結される
加えて、垂直ブランクパネル３７０は、垂直支柱２３０に取外し可能に連結され、キャビネットフレーム２００に、より具体的には、垂直支柱２３０にさらなる剛性を提供する
（２）引用文献１に記載された技術事項
　上記（１）によれば、引用文献１には、次の技術事項が記載されている。
ア　段落【０００１】より、引用文献１は、「サーバキャビネット」に関するものであることがわかる。
イ　段落【０００８】より、「前後梁２１０と頂部左右梁２２０Ａが連結されて、頂部フレーム２５０Ａを形成」し、「同様に、前後梁２１０と底部左右梁２２０Ｂが連結されて、底部フレーム２５０Ｂを形成する」ことを読み取ることができる。
ウ　段落【０００９】より、「垂直支柱２３０は、」「左右梁２２０Ａ、２２０Ｂに連結されて、キャビネットフレーム２００を形成」することを読み取ることができる。
エ　段落【００１５】より、「機器レール３００Ａ、３００Ｂは、」「頂部および底部フレーム２５０Ａ、２５０Ｂの前後梁２１０に、取外し可能に連結され」ることを読み取ることができる。
オ　段落【００２３】、【００２４】より、「冷却された呼気および加熱された排気を分離するためにサーバキャビネット１００の開口領域を封止するために」、「垂直ブランクパネル３７０」が「機器レール３００Ａに取外し可能に連結され」、「機器レール３００Ａに取外し可能に連結され」、「加えて、垂直ブランクパネル３７０は、垂直支柱２３０に取外し可能に連結され、キャビネットフレーム２００に、より具体的には、垂直支柱２３０にさらなる剛性を提供する」ことを読み取ることができる。
（３）引用発明
　よって、上記（２）アないしオから、引用文献１には、以下の発明（以下、「引用発明１」という、）が記載されているものと認められる。
「サーバキャビネットであって、
　前後梁２１０と頂部左右梁２２０Ａが連結されて、頂部フレーム２５０Ａを形成し、同様に、前後梁２１０と底部左右梁２２０Ｂが連結されて、底部フレーム２５０Ｂを形成し、
　垂直支柱２３０は、左右梁２２０Ａ、２２０Ｂに連結されて、キャビネットフレーム２００を形成し、
　機器レール３００Ａ、３００Ｂは、頂部および底部フレーム２５０Ａ、２５０Ｂの前後梁２１０に、取外し可能に連結され、
　冷却された呼気および加熱された排気を分離するためにサーバキャビネット１００の開口領域を封止するために、垂直パネルブランク３７０が、機器レール３００Ａに取外し可能に連結され、加えて、垂直ブランクパネル３７０は、垂直支柱２３０に取外し可能に連結され、キャビネットフレーム２００に、より具体的には、垂直支柱２３０にさらなる剛性を提供する、
サーバキャビネット。」
２　引用文献２について
（１）引用文献２に記載された事項
　原査定の拒絶の理由に引用された引用文献２には、次の事項が記載されている（下線は、当審で付与した。）。
「[0070] FIG. 1A is an isometric cross-sectional view of an electronic equipment enclosure 10, shown with 
several panels
The electronic equipment enclosure 10 includes a frame structure 12 formed of four vertical support posts 16, upper and lower front cross members 
, upper and lower rear cross members 19,20 and three pairs of side cross members 21,22,23. Each vertical support post 16 includes a plurality of cross member attachment apertures at each end. Two of the vertical support posts 16 are connected together at their upper and lower ends by the upper and lower front cross members, respectively, and the other two support posts 16 are connected together at their upper and lower ends by the upper and lower rear cross members 19,20, respectively. The front cross members and their respective support posts thus define a front frame 
, and the rear cross members 19,20 and their respective support posts 16 define a rear frame 26. The front and rear frames may be connected together at their respective corners by the upper, middle and lower side cross members 21,22,23.
パネル
電子機器用筐体10は、4本の垂直支持柱16と、上下の前クロス部材
と、上下の後クロス部材19,20と、3対の側クロス部材21,22,23とからなるフレーム構造12を備え
各垂直支持柱16は、各端部に複数のクロス部材取付孔を含
2本の垂直支柱16の上端及び下端は、それぞれ上側及び下側前クロス部材によって互いに連結され、他の2本の垂直支柱16の上端及び下端は、それぞれ上側及び下側後クロス部材19,20によって互いに連結され
したがって、前方クロス部材およびそれらのそれぞれの支持柱は、前方フレーム
を画定し、後方クロス部材19,20およびそれらのそれぞれの支持柱16は、後方フレーム26を画定する。前部フレームと後部フレームは、それらのそれぞれの角部で、上部、中間部、および下部サイドクロス部材21,22,23によって互いに接続され
「[0074] As shown in FIG. 1A and 1B, 
the enclosure 10 further includes one or more vertical mounting rails 30 that extend therein in a generally vertical orientation and are fastened to the frame structure 12.
筐体10は、1つ以上の垂直取り付けレール30をさらに含み、1つ以上の垂直取り付けレール40は、筐体内で略垂直方向に延在し、フレーム構造12に固定され
「[0075] As further shown in FIG. 1A and 1B, 
a pair of rail seals 40 is attached to each of the vertical mounting rails 30. The rail seals 40
provide a vertical air dam
between the side panels 14 and the vertical mounting rails 30
each rail seal 40 includes a rail seal panel 42 and a seal 50.
一対のレールシール40が垂直取付レール30の各々に取り付けられ
レールシール40は
側部パネル14と垂直取付レール30との間のエンクロージャ10の内部に垂直エアダムを提供
各レールシール40は、レールシールパネル42及びシール50を含む
「[0076] FIG. 2A is an orthogonal partially exploded view of a rail seal panel 42 of one of the rail seals 40 of FIG. 1A. FIG. 2B is an isometric view of one of the vertical mounting rails 30 of FIG. 1A. As shown in FIG. 2A, 
the rail seal panel 42 is generally flat
composed of a metal-based material.
レールシールパネル42は概ね平坦であり、
金属系材料からなる。
「[0077] The rail seal panel 42 is adapted to be attached via fasteners 64 to a vertical mounting rail 30, such as that which is shown in FIG. 2B.」（当審訳：レールシールパネル42は、図2Bに示されるように、締結具64を介して垂直取付レール30に取り付けられるように適合されている。）
「[0078] It will be appreciated that 
openings 33 may be provided in the surface 31 of the vertical mounting rail 30
開口部33は、
垂直取付レール30の表面31に設けることができる
（２）引用文献２に記載された技術事項
　上記（１）によれば、引用文献２には、次の技術事項が記載されている。
ア　段落[0070]より、「電子機器用筐体10は」、「パネル」と、「4本の垂直支持柱16と、上下の前クロス部材」「と、上下の後クロス部材19,20と、3対の側クロス部材21,22,23とからなるフレーム構造12を備え」、「各垂直支持柱16は、各端部に複数のクロス部材取付孔を含」み、「2本の垂直支柱16の上端及び下端は、それぞれ上側及び下側前クロス部材によって互いに連結され、他の2本の垂直支柱16の上端及び下端は、それぞれ上側及び下側後クロス部材19,20によって互いに連結され」、「したがって、前方クロス部材およびそれらのそれぞれの支持柱は、前方フレーム」「を画定し、後方クロス部材19,20およびそれらのそれぞれの支持柱16は、後方フレーム26を画定」し、「前部フレームと後部フレームは、それらのそれぞれの角部で、上部、中間部、および下部サイドクロス部材21,22,23によって互いに接続され」ていることを読み取ることができる。
イ　段落[0074]より、「筐体10は、1つ以上の垂直取り付けレール30をさらに含み、1つ以上の垂直取り付けレール40は、筐体内で略垂直方向に延在し、フレーム構造12に固定され」ていることを読み取ることができる。
ウ　段落[0075]より、「一対のレールシール40が垂直取付レール30の各々に取り付けられ」、「レールシール40は」、「側部パネル14と垂直取付レール30との間のエンクロージャ10の内部に垂直エアダムを提供」し、「各レールシール40は、レールシールパネル42及びシール50を含む」ことを読み取ることができる。
エ　段落[0076]より、「レールシールパネル42は概ね平坦であり」、「金属系材料からなる」ことを読み取ることができる。
（３）引用文献２に記載された技術
　よって、上記（２）アないしエから、引用文献２には、次の技術（以下、「引用文献２に記載された技術」という。）が記載されているものと認められる。
「電子機器用筐体10は、パネルと、4本の垂直支持柱16と、上下の前クロス部材と、上下の後クロス部材19,20と、3対の側クロス部材21,22,23とからなるフレーム構造12を備え、各垂直支持柱16は、各端部に複数のクロス部材取付孔を含み、2本の垂直支柱16の上端及び下端は、それぞれ上側及び下側前クロス部材によって互いに連結され、他の2本の垂直支柱16の上端及び下端は、それぞれ上側及び下側後クロス部材19,20によって互いに連結され、したがって、前方クロス部材およびそれらのそれぞれの支持柱は、前方フレームを画定し、後方クロス部材19,20およびそれらのそれぞれの支持柱16は、後方フレーム26を画定し、前部フレームと後部フレームは、それらのそれぞれの角部で、上部、中間部、および下部サイドクロス部材21,22,23によって互いに接続され、
　筐体10は、1つ以上の垂直取り付けレール30をさらに含み、1つ以上の垂直取り付けレール40は、筐体内で略垂直方向に延在し、フレーム構造12に固定され、
　一対のレールシール40が垂直取付レール30の各々に取り付けられ、レールシール40は、側部パネル14と垂直取付レール30との間のエンクロージャ10の内部に垂直エアダムを提供し、各レールシール40は、レールシールパネル42及びシール50を含み、
　レールシールパネル42は概ね平坦であり、金属系材料からなる」技術。
３　引用文献３について
（１）引用文献３に記載された事項
　引用文献３には、図面とともに、次の事項が記載されている。
「[0117] Referring to FIGS.7A, 7B, 8A, and 9, the side panels 300 in this embodiment are generally rectangular sheet steel that can be solid or perforated for aesthetics and air flow. Alternatively, rather than using a single side panel 300 per side of 
the network cabinet
the side panels 300 have hooks 305 attached to the bottom inside surface of the side panels 300
ネットワークキャビネット
サイドパネル300は、サイドパネル300の底部内面に取り付けられたフック305
を有する。
（２）引用文献３に記載された技術
　上記（１）によれば、引用文献３には、次の技術事項（以下、「引用文献３に記載された技術事項」という。）が記載されているものと認められる。
「ネットワークキャビネットのサイドパネル300は、サイドパネル300の底部内面に取り付けられたフック305を有する」技術。
４　引用文献4について
　引用文献４の段落[0087]及び図7A、図7B、図8A、図9には、引用文献３の段落[0117] 及び図7A、図7B、図8A、図9と同じ内容が記載されている。
　よって、引用文献４には、引用文献３と同じく、次の技術事項（以下、「引用文献４に記載された技術事項」という。）が記載されているものと認められる。
「ネットワークキャビネットのサイドパネル300は、サイドパネル300の底部内面に取り付けられたフック305を有する」技術。
第６　対比・判断
１　本願発明１について
（１）対比
 本願発明１と引用発明１とを対比する。
ア　引用発明１における「サーバキャビネット」が、本願発明１における「電子機器キャビネット」に相当する。
イ　引用発明１における「頂部左右梁２２０Ａが連結され」る「前後梁２１０」が、本願発明１における「一対の上部左右梁に接合される前後梁の第１の対」に相当する。
ウ　引用発明１における「底部左右梁２２０Ｂが連結され」る「前後梁２１０」が、本願発明１における「頂部左右梁２２０Ａが連結され」に相当する。
エ　引用発明１における「垂直支柱２３０」は、「左右梁２２０Ａ、２２０Ｂに連結されて、キャビネットフレーム２００を形成しているから、本願発明１における「頂部左右梁２２０Ａが連結され、ならびに、前記一対の上部左右梁及び前記一対の下部左右梁に接合される複数の垂直柱」に相当する。
オ　引用発明１における、「垂直支柱２３０」が「左右梁２２０Ａ、２２０Ｂに連結されて」「形成」された「キャビネットフレーム２００」が、本願発明１における「キャビネットフレーム」に相当する。
カ　引用発明１における「機器レール３００Ａ、３００Ｂ」は、「頂部および底部フレーム２５０Ａ、２５０Ｂの前後梁２１０に、取外し可能に連結され」ているから、本願発明１における「前記前後梁の第１の対の１つに、かつ前記前後梁の第２の対の１つに、着脱自在に接合される前方機器レール」に相当する。
キ　引用発明１における「垂直パネルブランク３７０」は「冷却された呼気および加熱された排気を分離するためにサーバキャビネット１００の開口領域を封止するために」設けられる部材であるから、本願発明１における「エアダム」に相当する。
ク　引用発明１における「垂直パネルブランク３７０」は、「レール３００Ａに取外し可能に連結され、加えて、垂直ブランクパネル３７０は、垂直支柱２３０に取外し可能に連結され、キャビネットフレーム２００に、より具体的には、垂直支柱２３０にさらなる剛性を提供する」から、「キャビネットフレーム２００」の構造材であるといえるので、本願発明１における「前記前方機器レールに、かつ前記複数の垂直柱の１つに着脱自在に接合される構造エアダム」に相当する。
ケ　本願発明１では「前記キャビネットフレームが、一対の前記複数の垂直柱の間に位置し、一対の前記複数の垂直柱に接合される補強前後梁をさらに含み、前記構造エアダムが、前記垂直柱を介することなく前記補強前後梁に接合され、前記構造エアダムがビームブラケットを通じて前記補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている、」のに対し、引用発明1では、そのような「補強前後梁」は用いられていない点で相違する。
　上記アないしケより、本願発明１と引用発明１とは、次の一致点、相違点を有するものと認められる。
（一致点）
「一対の上部左右梁に接合される前後梁の第１の対、一対の下部左右梁に接合される前後梁の第２の対、ならびに、前記一対の上部左右梁及び前記一対の下部左右梁に接合される複数の垂直柱を含むキャビネットフレームと、
　前記前後梁の第１の対の１つに、かつ前記前後梁の第２の対の１つに、着脱自在に接合される前方機器レールと、
　前記前方機器レールに、かつ前記複数の垂直柱の１つに着脱自在に接合される構造エアダムと、
　を含む、
電子機器キャビネット。」
（相違点）
　本願発明１では、「前記キャビネットフレームが、一対の前記複数の垂直柱の間に位置し、一対の前記複数の垂直柱に接合される補強前後梁をさらに含み、前記構造エアダムが、前記垂直柱を介することなく前記補強前後梁に接合され、前記構造エアダムがビームブラケットを通じて前記補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている」のに対し、引用発明１では、そのような「補強前後梁」は用いられていない点。
（２）判断
　引用文献２に記載された技術における「中間部」「サイドクロス部材」「22」（以下、「中間部サイドクロス部材22」という。)が、本願発明１における「補強前後梁」に相当する。
　また、引用文献２に記載された技術における「レールシール40」は、「概ね平坦であり、金属系材料からな」り、「垂直エアダムを提供」するから、本願発明１における「構造エアダム」に相当する。
　しかしながら、引用文献２に記載された技術では、「レールシール40」が「中間部サイドクロス部材22」に「接合され」ているか、明らかでない。
　また、仮に「接合され」ているとしても、該「接合」の具体的構成として、本願発明１におけるような「前記構造エアダムがビームブラケットを通じて前記補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている」構成は、記載も示唆もされていない。
　また、「接合」における上記具体的構成は、引用文献３に記載された技術にも、引用文献４に記載された技術にも記載されておらず、また、周知技術であったとも認められない。
　よって、本願発明１は、当業者であっても、引用文献１に記載された発明及び引用文献２ないし引用文献４に記載された技術に基づいて容易に発明をすることができたものとはいない。
２　本願発明２ないし１７について
　本願発明２ないし１７は、本願発明１に係る構成を含み、さらに技術的に限定した発明であるから、本願発明１について述べたのと同じ理由によって、当業者であっても、引用文献１に記載された発明及び引用文献２ないし引用文献４に記載された技術に基づいて容易に発明をすることができたものとはいない。
３　本願発明１８について
　本願発明１８は、本願発明１と同様に「前記キャビネットフレームが、一対の前記複数の垂直柱の間に位置し、前記一対の垂直柱に接合される複数の補強前後梁をさらに含み、前記構造エアダムが、前記垂直柱を介することなく前記複数の補強前後梁に接合され、前記構造エアダムがビームブラケットを通じて補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている」構成を備えているから、本願発明１について述べたのと同じ理由によって、当業者であっても、引用文献１に記載された発明及び引用文献２ないし引用文献４に記載された技術に基づいて容易に発明をすることができたものとはいない。
４　本願発明１９ないし３０について
　本願発明１９ないし３０は、本願発明１８係る構成を含み、さらに技術的に限定した発明であるから、本願発明１８について述べたのと同じ理由によって、当業者であっても、引用文献１に記載された発明及び引用文献２ないし引用文献１４に記載された技術に基づいて容易に発明をすることができたものとはいない。
５　まとめ
　以上のとおり、本願発明１ないし３０は、当業者であっても、引用文献１に記載された発明及び引用文献２ないし引用文献１４に記載された技術に基づいて容易に発明をすることができたものとはいない。
第７　原査定について
１　理由１（特許法第３６条第６項第２号）について
　審判請求時の補正により、本件補正前の請求項１３、３１における「前記構造エアダムが、上方から見たときに
前後方向で開く
２　理由３（特許法第２９条第２項）について
　審判請求時の補正により、請求項１ないし１７に係る発明は「前記キャビネットフレームが、一対の前記複数の垂直柱の間に位置し、一対の前記複数の垂直柱に接合される補強前後梁をさらに含み、前記構造エアダムが、前記垂直柱を介することなく前記補強前後梁に接合され、前記構造エアダムがビームブラケットを通じて前記補強前後梁に接合され、前記ビームブラケットが、前記構造エアダムにおける後方を向く面に固定され、前記ビームブラケットにおける前記補強前後梁に固定される部分が、前記ビームブラケットにおける前記構造エアダムに固定される部分よりも後方に配置されている」という構成を備えるものとなっている。
　また、請求項１８ないし３０に係る発明もこれと同様の構成を備えるものとなっている。
　したがって、請求項１ないし３０に係る発明は、当業者であっても、拒絶査定において引用された引用文献１に記載された発明及び引用文献２ないし４に記載された技術に基づいて、容易になし得たことではない。
　よって、原査定の理由３を維持することはできない。
第８　むすび
　以上のとおり、原査定の理由によっては、本願を拒絶することはできない。
　また、他に本願を拒絶すべき理由を発見しない。
　よって、結論のとおり審決する。